(57)【特許請求の範囲】
【請求項１】
断面コ字形のメジャーテープ固定枠５１の一面に、芯棒径大部５３の頭部を有する回転心棒５２が連結されたメジャーテープ固定部材において、前記断面コ字形の上部面には締付板５６を有するメジャーテープ締付ねじ５５を１個又は２個有し、該コ字形の下部面には糸位置決凸部５８、糸溝５７及び該糸溝５７の後方の背壁には糸孔５４を有し、更に背壁の背面に糸止め５９を有すると共にメジャーテープの一端を、測定する始点の直上部に配置・固定可能としたことを特徴とするメジャーテープ固定部材。
【発明の詳細な説明】
【技術分野】
【０００１】
本発明は、境界測量の測距、センター杭測設の測距、平板測量の測距、工事現場における張り出しの測距等の測量や工事現場において用いる測距装置であるメジャーテープ取付機に関するものである。
【背景技術】
【０００２】
従来、工事現場における張り出しの測距等、比較的短い距離を測る場合において、メジャーテープを持つ人と目盛りを読む人との２人係りで行っている。測距作業にも省力化が求められているが、現在２人で行っている作業を、仮に一人で行うことができれば２倍の効率化（省力化）を実現することになる。
【特許文献１】記載なし。
【発明の開示】
【発明が解決しようとする課題】
【０００３】
しかしながら、従来は、このような一人で測距する装置は見当たらず、前記効率化のために、本発明は、上記「仮に」を現実のものとして実現することにある。即ち、本発明が解決しようとする課題は、一人で且つ正確に作業可能な測距装置であるメジャーテープ取付機に用いられるメジャーテープ固定部材を提供することにある。
【課題を解決するための手段】
【０００４】
本発明の上記課題を解決するために、本発明は下記の手段を講じた。
即ち、本発明は、断面コ字形のメジャーテープ固定枠５１の一面に、芯棒径大部５３の頭部を有する回転心棒５２が連結されたメジャーテープ固定部材において、前記断面コ字形の上部面には締付板５６を有するメジャーテープ締付ねじ５５を１個又は２個有し、該コ字形の下部面には糸位置決凸部５８、糸溝５７及び該糸溝５７の後方の背壁には糸孔５４を有し、更に背壁の背面に糸止め５９を有すると共にメジャーテープの一端を、測定する始点の直上部に配置・固定可能としたことを特徴とするメジャーテープ固定部材である。
【発明の効果】
【０００５】
本発明は、上記構成により下記の効果を奏する。
【０００６】
本発明のメジャーテープ固定部材は、断面コ字形のメジャーテープ固定枠５１の一面に、芯棒径大部５３の頭部を有する回転心棒５２が連結されたメジャーテープ固定部材において、前記断面コ字形の上部面には締付板５６を有するメジャーテープ締付ねじ５５を１個又は２個有し、該コ字形の下部面には糸位置決凸部５８、糸溝５７及び該糸溝５７の後方の背壁には糸孔５４を有し、更に背壁の背面に糸止め５９を有することにより、メジャーテープ固定枠５１にメジャーテープ６２の端部をメジャーテープ締付ねじ５５の操作によって固定しメジャーテープ６２の端部（始端部）が固定されるので、メジャーテープの一端を、測定する始点の直上部に配置・固定可能とすることができる。そして、作業者はメジャーテープ６２の他端部を水平に引き伸ばし錘球６１の下端が第２杭３の上部に一致させたところでその水平距離を正確に測ることができるという優れた効果を奏するものである。
【発明を実施するための最良の形態】
【００１０】
以下、本発明を更に具体的に説明するが、本発明は、これらの例によって限定されるものではない。
【実施例】
【００１１】
〔実施例１〕以下、本発明に係るメジャーテープ固定部５０、いわゆるメジャーテープ固定部材５０を図面に基づいて説明する。図１は、メジャーテープ固定部５０を含むメジャーテープ取付機を示す全体図、図２は、その概略説明図、図３は図１の水平位置調整部の縦断面図、図４は図１の巻尺固定部の正面図、図５は図４の巻尺固定部の縦断面図、である。
（全体構成）本発明のメジャーテープ固定部材を含むメジャーテープ取付機について図面に従って説明する。本装置は、大別して、装置全体を支持してその姿勢を安定させる支持重量部１０と、メジャーテープ６２の始端位置を水平方向において調整する水平位置調整部２０と、メジャーテープ６２の始端位置を上下・遠近に調整する上下・遠近位置調整部３０と、メジャーテープ６２の始端位置を鉛直方向において特定する鉛直方向調整部４０と、メジャーテープ固定部５０と、からなる。
【００１２】
（支持重量部１０）先ず、支持重量部１０について説明する。支持重量部１０は、全体として直方体形状からなり、鉄ブロックから形成される「重石」としてウエイト１１と、その上部の持ち運び用のハンドル１２とからなる。ウエイト１１は装置全体の姿勢を安定させる重量物で、全体の大きさ又は重さにもよるが、本実施例では、約１０キログラム程度の重量物からなるのが好ましい。
【００１３】
（水平位置調整部２０）次に、水平位置調整部２０について説明する。水平位置調整部２０は、調整部装着部１３を有し、該調整部装着部１３には水平断面円形の凹部が形成されており、前記調整部装着部１３には縦棒支持部材２１が嵌合され、固定具ねじ孔１４を介して設けられた支持部材固定具２５により固定されて水平位置調整部２０を構成している。縦棒支持部材２１の軸芯部に形成された水平断面円形の支持穴２３には、水平断面円形の縦棒２２が嵌合される。ここで、縦棒２２が抜け出すのを防ぐ目的で支持部材固定具２５を取り付けた。このように水平位置調整部２０を構成することにより縦棒２２を四角形にした場合でも縦棒２２を回転させることができる。この実施例の場合は、縦棒２２を調整部装着部１３に直接回転・固定可能に支持させることで、縦棒支持部材２１を省略することも可能である。なお、縦棒２２を水平断面四角形とすることも可能である。このときには、縦棒支持部材２１には四角形の支持穴２３が必要である。また、この場合は、後述の上下・遠近位置調整部３０において、移動枠３１を上下方向に独立的に調整し易いというメリットがある。そして、上記縦棒２２は、縦棒支持部材２１に形成されている複数個の固定具孔１４を通じて支持部材固定具２５により固定される。また、縦棒支持部材２１の周囲には、その円周面にそって凹部２４が多数形成され、固定具孔２６に螺合されている支持部材固定具２５により固定される。
【００１４】
（水平位置調整部７０）次に、図７に示される水平位置調整部７０について説明する。水平位置調整部７０は、支持重量部１０の前方面にねじ７３、７４により固定される。該水平位置調整部７０では、調整部装着部１３は、縦棒支持部材７１である球状体７１ａに対応した球状凹部１３ａからなり、該凹部１３ａに嵌合される水平断面角形の縦棒支持部材７１からなる球状体７１ａが嵌合され、固定具ねじ孔を介して設けられた支持部材固定具７２により固定される。この球状体７１ａの表面には、凹部７１ｂが形成されていてもよく、この凹部７１ｂにより縦角柱２１ａを前後左右に動かしたときに、断続的な動きをする。更に調整部装着部１３に嵌合された球状体７１ａは、上部から蓋７７により抑えられて、該蓋７７はねじ７５、７６により固定して、球状体７１ａが外れるのを防止している。なお、本発明では、球状体７１ａは、中実のものについて説明したが、球状体７１ａは、中空であってもよいことは言うまでもない。更に縦棒２２は、縦角柱で説明したが、縦円柱であってもよい。
【００１５】
また図８は、図７に示される水平位置調整部７０の縦断面図である。水平位置調整部７０が支持重量部１０の長手方向の前方面にねじ７４、７４、７３により固定されて設けられている。水平位置調整部７０において、調整部装着部１３は、縦棒支持部材７１からなる球状体７１ａに対応した球状凹部１３ａを有し、該凹部１３ａに嵌合される水平断面角形の縦棒支持部材７１からなる球状体７１ａが嵌合され、固定具ねじ孔を介して設けられた支持部材固定具７２、７２により固定される。この球状体７１ａの表面には、凹部７１ｂが形成されていてもよく、この凹部７１ｂにより縦角柱２１ａを前後左右に動かしたときに、断続的な動きをする。更に調整部装着部１３に嵌合された球状体７１ａは、上部から蓋７７により抑えられて、該蓋７７はねじ７６（７５）、７６（７５）により固定して、球状体７１ａが外れるのを防止している。
（上下・遠近位置調整部３０）次に、上下・遠近位置調整部３０について説明する。上下・遠近位置調整部３０は、上記縦棒２２の適宜個所に設定されるものであり、上下に縦棒２２に沿って移動・固定可能な移動枠３１と、該移動枠３１に横方向に貫通して配置される横棒３２と、該横棒３２を移動枠３１に固定する横棒固定具３３と、からなる。
【００１６】
（鉛直方向調整部４０）次に、鉛直方向調整部４０について説明する。鉛直方向調整部４０を構成する球体４１は、横棒３２の一端部に一体に固定されており、該球体４１は、外形が略直方体の鉛直調整枠４２を略ユニバーサルに回転可能に支持している。即ち、鉛直調整枠４２の中心部には、球体４１を内包可能な球形の凹部が形成されており、この凹部を介して球体４１に鉛直調整枠４２が支持されているといえる。
【００１７】
また、前記球体４１の全周には球体凹部４１ａが全周にわたって多数形成されており、また、球体４１の下端部近傍にある鉛直調整枠４２に下垂杆４４が一体に設けられている。また、鉛直調整枠４２には調整枠固定具４５が付設されており、該調整枠固定具４５により、球体４１に対して鉛直調整枠４２が固定される。また、下垂杆４４の下端部には中間枠４６が着脱自在に連結されており、中間枠４６は下垂杆４４に対して下垂杆固定具４３によって固定される。上記中間枠４６の下部には、心棒受け部４７が形成されており、該心棒受け部４７に、芯棒径大部５３が回転自在に嵌合されている。なお、上記実施例では、下垂杆４４の鉛直姿勢を決める手段として、球体４１及び球体４１に外嵌される鉛直調整枠４２を用いたが、複数の連結方向の違うヒンジ機構を組み合わせるなどの他の手段を採用してもよい。
【００１８】
（メジャーテープ固定部５０）次に、メジャーテープ固定部５０について説明する。中間枠４６に対して回転自在に取り付けられている回転芯棒５２の下部には、メジャーテープ固定部５０が一体に取り付けられている。メジャーテープ固定部５０を構成するメジャーテープ固定枠５１は、特に図４、５に示すように、断面略コ字形に形成され、メジャーテープ締付板５６がメジャーテープ締付ねじ５５を介して上下に移動可能に配置されている。そして、メジャーテープ締付板５６によりメジャーテープ６２の端部をメジャーテープ固定枠５１に押し付けて、固定することになる。また、メジャーテープ固定枠５１の下部には、その直下部に糸位置決凸部５８、該糸位置決凸部５８に連動する糸溝５７、及び糸孔５４が形成され、その背面には糸止め５９が形成されている。そして、錘球６１連結されている糸６０は糸位置決凸部５８に案内され、糸溝５７を介して糸止め５９にその端部が固定されることになる。
【００１９】
（作用）次に、上記装置の使用方法について説明する。上記構成により、地形１上の第１杭２（基準点）に対して第２杭３の距離を測る場合には、図１、図２に示すように、地形１表面上に支持重量部１０を任意に設置し、支持部材固定具２５を緩めて縦棒２２を回転自在の状態とし、また、横棒固定具３３を緩めて横棒３２を前後に進退自在の状態とし、また、調整枠固定具４３を緩めて球体４１に対して鉛直調整枠４２が回転自在の状態となる。そして、錘球６１が第１杭２の上部に一致するように配置する。その上で、支持部材固定具２５により縦棒支持部材２１を固定し、横棒固定具３３により移動枠３１を固定し、調整枠固定具４３により鉛直調整枠４２を固定する。上記操作により、メジャーテープ固定枠５１の位置が特定される。そして、メジャーテープ固定枠５１にメジャーテープ６２の端部をメジャーテープ締付ねじ５５の操作によって固定しメジャーテープ６２の端部（始端部）が固定される。そして、作業者はメジャーテープ６２の他端部を水平に引き伸ばし錘球６１の下端が第２杭３の上部に一致させたところでその水平距離を正確に測ることができる。
【００２０】
この測定に当たって、メジャーテープ固定部５０は回転芯棒５２を中心に水平に回転自在であるから作業者は容易に第２杭３に対して錘球６１を一致させることができる。上記構成により、メジャーテープ６２を用いた２点間の距離を１人で行うことができるため作業が極めて効率的となった。特に図１、図２に示すように、測定すべき第１杭２及び第２杭３の地形がどのような傾斜地であっても１人で正確に測距することができるに至った。
【００２１】
〔実施例２〕図６は、実施例２を示しており、メジャーテープ６２の幅方向を鉛直方向に立てることによって側面からメジャーテープ６２の目盛りをみることができるようにしたもので、メジャーテープ６２の固定に当たっては、メジャーテープ固定枠５１を、図１、図２に比べて９０度変更したものであって、メジャーテープ締付板５６によりメジャーテープ６２の側面から固定するようにしたものである。この実施例によりメジャーテープ６２の読み取りは側方から行うことができるにいたった。
【００２２】
なお、上記実施例においてはあらゆる形状に対応させるため水平位置調整部２０、上下・遠近位置調整部３０等を設けたが、比較的平坦な位置で用いる場合あるいは支持重量部１０を設置する載せ台側においてその高さや傾斜度が調整可能な場合は水平位置調整部２０または上下・遠近位置調整部３０を省略することも可能である。また、上記実施例ではメジャーテープ締付板５６を２つ並置することによってメジャーテープ固定枠５１の姿勢を変えて、いずれのメジャーテープ締付板５６をも選択的に使用可能とすることで測定の容易性を向上させたが、位置が比較的平坦な状態においては１つのみとしてもよい。なお、
球体４１には多数の球体凹部４１ａを形成させたが、調整枠固定具４３の位置決め・固定が容易である場合は球体凹部４１ａを省略するか、或いはその表面を梨地状としてもよい。いずれにしても、上記実施例の測距装置によれば、作業者単独でメジャーテープ測距ができるので、小規模な測量の場合はその作業を１人で且つ何回でも行うことができる。また上記特許請求の範囲の項には、実施例との対応関係を明瞭にするために図面符号を付したが、本発明はこれに限定されるものではない。
【００２３】
〔実施例３〕図９は、メジャーテープ取付機の別の形態を示している。図９に示されるメジャーテープ取付機は、三脚に取り付けて使用するのに便利である。図９において、メジャーテープ取付機は、支持重量部１０と水平位置調整部７０とからなり、支持重量部１０には、その中央部には、錘球６１が容易に通り抜けることができる大きさの孔９１が設けられている。ついで、支持重量部１０の前方面に水平位置調整部７０が設置される。該設置の仕方は、調整部装着部１３がねじ固定具７３、７４により固定されている。そして、この調整部装着部１３の凹部１３ａに嵌合された水平断面角形の縦棒支持部材７１からなる球状体７１ａに縦角柱２１ａが一体に固定されており、またこの球状体７１ａの表面には、凹部７１ｂが形成されていてもよく、この凹部７１ｂにより縦角柱２１ａを前後左右に動かしたときに、断続的な動きをする。更に調整部装着部１３に嵌合された球状体７１ａは、上部から蓋７７により抑えられて、該蓋７７はねじ７５、７６により固定して、球状体７１ａが外れるのを防止している。更にこの縦角柱２１ａには、鉛直方向調整部４０を介してメジャーテープ固定部５０が設けられていると共に、このメジャーテープ固定部５０には、錘球６１が糸６０を介して垂下されている。
【００２４】
このメジャーテープ取付機の使用の仕方は、三脚の台にメジャーテープ取付機を取り付けた後、その台を貫通した糸孔５４には、端部に錘球６１が取り付けられた糸が通され、この糸の端部に錘球６１が取り付けられている。このような状態で錘球６１が第１杭の上部に一致するように配置した後、その位置で縦棒支持部材２１、移動枠３１及び鉛直調整枠４２等を固定具により固定する。そしてメジャーテープ固定枠５１にメジャーテープ６２の端部をメジャーテープ締付ねじ５５の操作によって固定しメジャーテープ６２の端部（始端部）が固定される。そして、作業者はメジャーテープ６２の他端部を水平に引き伸ばし錘球６１の下端が第２杭３の上部に一致させたところでその水平距離を正確に測ることができる。この際、メジャーテープ６２の幅方向を鉛直方向に立てることによって側面からメジャーテープ６２の目盛りをみることができるようにすることもできる。
【００２５】
このように支持重量部１０では、重量物からなるウエイトの中央部に貫通孔を有することにより、三脚を取り付けて使用し、三脚の台に設けられた孔を通じて錘球６１をセットし易いばかりでなく、三脚の台の孔を通じてセットされているので、安定したセットが可能であり、その結果、メジャーテープの引張りに対する抵抗が強く、作業がし易いものとなった。
【図面の簡単な説明】
【００２６】
【図１】本発明に係る実施例１の全体側面図である。
【図２】図１の概略説明図である。
【図３】図１の水平位置調整部の縦断面図である。
【図４】巻尺固定部の正面図である。
【図５】図４の巻尺固定部の縦断面図である。
【図６】本発明に係る実施例２の要部説明図である。
【図７】本発明に係る水平位置調整部の横断面図である。
【図８】図７に示される水平位置調整部の縦断面図である。
【図９】本発明に係る別のメジャーテープ取付機の部分断面図である。
【符号の説明】
【００２７】
１  地形        ２  第１杭      ３  第２杭        １０  支持重量部
１１  （鉄ブロック）ウエイト      １２  ハンドル
１３  調整部装着部        １３a   球状凹部又は球状体嵌合凹部
１４  固定ねじ孔      ２０  水平位置調整部
２１  縦棒支持部材        ２１ａ  角柱        ２２  縦棒
２３  支持穴        ２４  凹部        ２５  支持部材固定具
２６  固定具孔      ３０  上下・遠近位置調整部        ３１  移動枠
３２  横棒    ３３  横棒固定具    ４０  鉛直方向調整部    ４１  球体
４１ａ  球体凹部        ４２  鉛直調整枠          ４５  調整枠固定具
４４  下垂杆        ４３  下垂杆固定具        ４６  中間枠
４７  心棒受け部        ５０  メジャーテープ固定部
５１  メジャーテープ固定枠        ５２  回転心棒
５３  心棒径大部        ５４  糸孔      ５５  メジャーテープ締付ねじ
５６  メジャーテープ締付板        ５７  糸溝
５８  糸位置決凸部        ５９  糸止め        ６０  糸
６１  錘球        ６２  メジャーテープ        ７１  縦棒支持部材
７１ａ  球状体        ７１ｂ  凹部（曲面）
７２、７３、７４  ねじ
７５、７６  ボルト
７７  蓋        ９１  貫通孔
【図１】
0004575938.tif 000002
【図２】
0004575938.tif 000003
【図４】
0004575938.tif 000004
【図８】
0004575938.tif 000005
【図３】
0004575938.tif 000006
【図５】
0004575938.tif 000007
【図６】
0004575938.tif 000008
【図７】
0004575938.tif 000009
【図９】
0004575938.tif 000010